(57)【要約】【課題】濾過器の装着および取り外しが容易で、内部のネットの取り外し、交換が容易で、かつランニングコストが安いフィルターカートリッジ型のインキ濾過器を提供することを課題とする。【解決手段】中空の円筒形のインキ濾過器であって、インキの落とし口との接続部を上部に有し、接続部から下方に延びる円筒に嵌合するネット取り付け用リングと、円筒とリングとの間隙で固定されるネットと、ネットを側面から覆う円筒形のネットカバーとが、一体に組み合わせられて構成され、リングは、インキの落とし口への装着箇所より下部で、接続部の下方に延びる円筒に嵌合してネットの開口部を固定し、ネットは、流入したインキを濾過して異物をネット内側に捕捉し、ネットカバーは、接続部に装着されるとともに、リングを下方から支えて固定することを特徴とするインキ濾過器。【選択図】図１
2019051615.tif 000002
【特許請求の範囲】
【請求項１】
印刷機のインキパンの、インキの落とし口に設けることのできる、中空の円筒形のインキ濾過器であって、
該インキの落とし口との接続部を上部に有し、該接続部から下方に延びる円筒に嵌合するネット取り付け用リングと、該円筒と該リングとの間隙で固定されるネットと、該ネットを側面から覆う円筒形のネットカバーとが、一体に組み合わせられて構成され、
該接続部は、インキの落とし口への装着機構を有して、インキを、インキパンの落とし口から濾過器上部へ流入させ、
該リングは、インキの落とし口への装着箇所より下部で、接続部の下方に延びる円筒に嵌合してネットの開口部を固定し、
該ネットは、流入したインキを濾過して異物をネット内側に捕捉し、
該ネットカバーは、接続部に装着されるとともに、リングを下方から支えて固定し、
ネットカバー下端から、濾過されたインキを下方に排出することを特徴とするインキ濾過器。
【請求項２】
前記中空の円筒形のインキ濾過器は、その寸法が
ネットカバー外径＞リング外径＞リング内径＞接続部下端外径
であることを特徴とする請求項１に記載のインキ濾過器。
【発明の詳細な説明】
【技術分野】
【０００１】
本発明は、印刷インキの濾過器に関するものである。とくにグラビア印刷や、グラビアオフセット印刷、あるいはフレキソ印刷などに用いられる輪転機のインキ循環系統のうち、インキパンのインキの落とし口に設けることのできる、インキ濾過器に関するものである。
【背景技術】
【０００２】
印刷インキは、印刷工程において、紙やフィルムなどの被印刷体、あるいは印刷機や印刷版と並んで主要な要素のひとつである。印刷工程においてインキの適正な管理は、印刷の品質を維持するためには必要不可欠であり、そのひとつとして印刷インキに外部から混入、あるいは印刷インキ自身から発生する乾燥物、固化物などの異物の除去が行なわれている。
【０００３】
一般には異物の除去は、印刷インキを版に直接供給するインキパン（受け皿）と、インキタンクの間にポンプを設けてインキを循環させており、インキの循環経路やインキタンク内にインキ濾過用フィルターを配置して、異物を捕捉して印刷不良の低減、品質の向上につなげている。
【０００４】
特許文献１には、フィルターにストッキング（ネット）を使用する提案がなされているが、フィルターの取り外し、交換が容易ではなく、さらには濾過器としての性能も危惧され、汚れの発生のおそれもある。
【０００５】
また特許文献２には、フィルターカートリッジを円筒状のカートリッジに収納してインキ濾過器としたものを、インキタンク内に配置してインキを吸い上げて循環させる方式のものが提案されているが、装着、および取り外しはある程度容易であり、インキの濾過においては効果が期待できるものの、一般には交換するフィルターの単価が高価であって、ランニングコストが高くなる問題がある。
【０００６】
あるいは、比較的安直な方法として、インキパンからインキタンクに流れ落ちて戻る流路に、目の細かいネットを設けて異物の捕捉をする方法もある。このネットは通常は使い捨てにする場合が多く、ネットの目詰まりや、インキ交換のタイミングで取り外して交換が行なわれる。
【０００７】
しかしながら、この取り外し、交換においては、ネットの固定部にインキが付着し固化しているために、煩雑で時間がかかる作業となっている。加えて、ネットは開口部のみがインキパンのインキの流出口に取り付けられているために、ネット本体はインキタンク内で浮遊することになり、インキタンク内の攪拌機の羽根などの回転部に巻き込まれるおそれもあって、取り扱い、設置方法には難しいものがあった。
【先行技術文献】
【特許文献】
【０００８】
【特許文献１】実開平６−３４７１２号公報
【特許文献２】実開昭６２−２４９０８号公報
【発明の概要】
【発明が解決しようとする課題】
【０００９】
本発明はかかる状況に鑑みてなされたものであり、その目的とするところは、濾過器の
装着および取り外しが容易で、内部のネットの取り外し、交換が容易で、かつランニングコストが安いフィルターカートリッジ型のインキ濾過器を提供することにある。
【課題を解決するための手段】
【００１０】
上記の課題を解決するための手段として、請求項１に記載の発明は、
印刷機のインキパンの、インキの落とし口に設けることのできる、中空の円筒形のインキ濾過器であって、
該インキの落とし口との接続部を上部に有し、該接続部から下方に延びる円筒に嵌合するネット取り付け用リングと、該円筒と該リングとの間隙で固定されるネットと、該ネットを側面から覆う円筒形のネットカバーとが、一体に組み合わせられて構成され、
該接続部は、インキの落とし口への装着機構を有して、インキを、インキパンの落とし口から濾過器上部へ流入させ、
該リングは、インキの落とし口への装着箇所より下部で、接続部の下方に延びる円筒に嵌合してネットの開口部を固定し、
該ネットは、流入したインキを濾過して異物をネット内側に捕捉し、
該ネットカバーは、接続部に装着されるとともに、リングを下方から支えて固定し、
ネットカバー下端から、濾過されたインキを下方に排出することを特徴とするインキ濾過器である。
【００１１】
また、請求項２に記載の発明は、
前記中空の円筒形のインキ濾過器は、その寸法が
ネットカバー外径＞リング外径＞リング内径＞接続部上端外径
であることを特徴とする請求項１に記載のインキ濾過器である。
【発明の効果】
【００１２】
本発明によれば、濾過器の装着および取り外しが容易で、内部のネットの取り外し、交換が容易で、かつランニングコストが安いフィルターカートリッジ型のインキ濾過器を提供することができる。
【００１３】
すなわち本発明によるインキ濾過器は、印刷インキに混入した異物をネットで濾し取る濾過器であり、構造は簡単でインキの循環経路の内、インキパンのインキの落とし口とインキタンクとの間に設置することができ、ネットカバーを備えていることによってインキタンク内で浮遊、流動することがなく、したがって攪拌機などの回転部への巻き込みを避けることができる。
【００１４】
またリングの取り付け位置を接続部の装着位置より下方に設けることにより、リング周辺のインキによる汚れを防止でき、ネットの取り外し、交換がより容易で、したがって作業時間の短縮に効果がある。
【００１５】
とくに請求項２に記載の発明によれば、濾過器の装着および取り外しがより容易で、内部のネットの取り外し、交換がより容易で、かつランニングコストが安いフィルターカートリッジ型のインキ濾過器を提供することができる。
【００１６】
また、とくにリング周辺のインキによる汚れをより防止できることにより、ネットの取り外し、交換がより容易であるため、作業時間の短縮により効果がある。
【図面の簡単な説明】
【００１７】
【図１】図１は本発明に係るインキ濾過器の構成要素のうち、接続部、リング、ネットカバーを説明するための斜視模式図である。
【図２】図２は本発明に係るインキ濾過器を組み立てた状態を説明するための斜視模式図である。
【図３】図３は本発明に係るインキ濾過器の、構成と機能を説明するための断面模式図である。
【図４】図４は本発明に係るインキ濾過器の、より好ましい寸法の関連を説明するための斜視模式図である。
【発明を実施するための形態】
【００１８】
以下、本発明を図を参照しながら、更に詳しい説明を加える。ただし本発明は、ここに示す例にのみ限定されるものではない。本発明は、請求項によって限定されるものである。
【００１９】
図１は本発明に係るインキ濾過器の構成要素のうち、接続部、リング、ネットカバーを説明するための斜視模式図である。
【００２０】
本発明によるインキ濾過器は、印刷機のインキパンのインキの落とし口に設けることのできる、中空の円筒形のインキ濾過器である。その構成要素はインキの落とし口に取り付け可能な接続部（１）と、接続部（１）から下方に延びる円筒（１０）に嵌合するネット取り付け用リング（２）と、円筒と該リングとの間隙で固定されるネットと、ネットを側面から覆う円筒形のネットカバー（３）とが一体に組み合わせられて構成される。
【００２１】
ただし、ここに示す図においては、接続部（１）の下方に延びる円筒（１０）部分とリング（２）との間隙で固定されるネットは、ネットカバー（３）の内部に位置するため、表示されていない。ネットに関する説明は図３を用いて後述する。
【００２２】
また、図１に示すとおり、接続部（１）は、その上端の外径と、下方に延びる円筒（１０）とでは、下方に延びる円筒（１０）のほうが小さい。
【００２３】
図２は本発明に係るインキ濾過器を組み立てた状態を説明するための斜視模式図である。
【００２４】
ここに示す図２の例においては、ネットカバー（３）は接続部（１）に装着されている状態である。ネットカバー（３）の内部では、リング（２）は、接続部（１）のインキ落とし口への装着箇所より下部で、接続部（１）の下方に延びる円筒（１０）に嵌合してネットの開口部を固定している。
【００２５】
ネットカバー（３）と接続部（１）の装着方法については特段の限定を加えるものではなく、ネットの取り外し、交換などにおいて、容易に取り外し、交換作業ができる方法であれば良く、印刷機の振動が伝播しても外れたり、分離しない範囲であれば、適宜選択してよい。たとえば螺合や嵌合による固定でも良く、金具などのフックで吊り下げるようにして装着するのでもよい。
【００２６】
リング（２）とネットの固定は、リング（２）が、インキの落とし口への装着箇所より下部で、接続部（１）の下方に延びる円筒（１０）に嵌合してネットの開口部を固定している状態であって、図３を用いて後述する。
【００２７】
接続部（１）はインキの落とし口への装着機構を有して、インキパンからのインキを、インキの落とし口からインキ濾過器（１００）上部へ流入させるのであって、この装着方法についても特段の限定を加えるものではない。
【００２８】
ネットの取り外し、交換などにおいて、容易に取り外し、交換作業ができる方法であれ
ば良く、印刷機の振動が伝播しても外れたり、分離しない範囲であれば、適宜選択してよい。たとえば螺合や嵌合による固定でも良く、金具などのフックで吊り下げるようにして装着するのでもよい。
【００２９】
図３は本発明に係るインキ濾過器の、構成と機能を説明するための断面模式図である。
【００３０】
本発明は、印刷機のインキパンの、インキの落とし口に設けることのできる、中空の円筒形のインキ濾過器（１００）であって、インキの落とし口との接続部（１）を上部に有し、接続部（１）から下方に伸びる円筒（１０）に嵌合するネット取り付け用リング（２）と、下方に延びる円筒（１０）とリング（２）との間隙で固定されるネット（４）と、ネット（４）を側面から覆う円筒形のネットカバー（３）とが、一体に組み合わせられて構成されている。
【００３１】
本発明によるインキ濾過器（１００）は、濾過装置として、フィルターカートリッジを用いることなく、ネットを用いることにより、コスト削減が可能になる。
【００３２】
また、ネット（４）の材質などにも特段の限定を加えるものではなく、必要なメッシュの細かさと、インキあるいは溶剤に対する耐性を考慮すれば、適宜選択して用いることが可能である。
【００３３】
接続部（１）は、インキの落とし口への装着機構（１１）を有して、インキを、インキパンの落とし口から濾過器（１）上部へ図中矢印（５）の方向に流入させる。
【００３４】
またリング（２）は、インキの落とし口への装着箇所（１２）より下部で、接続部（１）の下方に延びる円筒（１０）に嵌合してネット（４）の開口部を固定する。この固定は接続部（１）の下方に延びる円筒（１０）の外周と、リング（２）の内周との間隙で、ネット（４）を挟み込む形で行なわれる。
【００３５】
ネット（４）は、流入したインキを濾過して、インキ中に浮遊する異物をネット内側に捕捉する。
【００３６】
ネットカバー（３）は装着機構（１３）を接続部（１）との間に有して、接続部（１）に装着されるとともに、リング固定部（１４）でリング（２）を下方から支えて固定する。
【００３７】
またネット（４）は、ネットカバー（３）によって側面から覆われる構造であるために、ネット（４）がインクタンク内で浮遊、流動することがなく、したがって攪拌機などの回転部への巻き込みを避けることができる。
【００３８】
またネットカバー（３）は円形に開口している下端から、濾過されたインキを図中矢印（７）の方向に排出する。
【００３９】
このようにして、濾過器の装着、および取り外しが容易で、内部のネットの取り外し、交換が容易で、かつランニングコストが安いフィルターカートリッジ型のインキ濾過器の実現、および提供が可能である。
【００４０】
図４は本発明に係るインキ濾過器の、より好ましい寸法の関連を説明するための斜視模式図である。
【００４１】
さらに、我々は本発明によるインキ濾過器（１００）を鋭意検討した結果、ネット（４
）の取り外し、交換などにおいて、より容易に取り外し、交換作業ができる形態として、インキ濾過器（１００）の各構成要素の寸法が下記の場合に、より好適であることを見出した。
【００４２】
ネットカバー外径（ａ）＞リング外径（ｂ）＞リング内径（ｃ）＞接続部下端外径（ｄ）。
【００４３】
すなわち、この寸法の関係である場合において、本発明によるインキ濾過器は（１００）は、濾過器の装着および取り外しがより容易で、内部のネットの取り外し、交換がより容易で、かつランニングコストが安いフィルターカートリッジ型のインキ濾過器を提供することが可能であり、作業の時間短縮に対してもより効果的なものとなる。
【実施例】
【００４４】
以下本発明を実施例、および比較例によって更に具体的な説明を加える。ただし本発明は、ここに示す例にのみ限定されるものではない。本発明は、請求項によって限定されるものである。
【００４５】
＜実施例１＞
本発明による、インキ濾過器を用いて、インキパンへの取り付けを実施。
段取り作業の所要時間（秒）を測定した。
またインキを循環させて、不具合がないか観察した。
【００４６】
＜比較例１＞
従来の方法で、ネットを用いてインキパンへ直接取り付けた。
段取り作業の所要時間（秒）を測定した。
またインキを循環させて、不具合がないか観察した。
【００４７】
評価結果を表１に示す。
【００４８】
【表１】
2019051615.tif 000003
【００４９】
表１に示す結果から、本発明によるインキ濾過器を用いた作業では、段取り時間の大幅な短縮が確認できた。平均値で比較すると、比較例１（従来の方法）が、１８７．５秒であるのに対し、実施例１（本発明によるもの）では、２３．２５秒に短縮されており、約１／８に短縮されている。
【００５０】
また、不具合がないかを観察したところ、実施例１においては、巻き込まれのおそれがないことが確認できた。もう一方の比較例１においては、巻き込まれは確認できなかったが、インキタンク内でネットが浮遊しており、巻き込まれのおそれがあることが確認できた。
【００５１】
このように本発明によれば、濾過器の装着および取り外しが容易で、内部のネットの取り外し、交換が容易で、かつランニングコストが安いフィルターカートリッジ型のインキ濾過器を提供することが可能であることを、検証することができた。
【符号の説明】
【００５２】
１・・・接続部
２・・・リング
３・・・ネットカバー
４・・・ネット
５・・・矢印
７・・・矢印
１０・・・下方に延びる円筒
１１・・・装着機構
１２・・・装着箇所
１３・・・装着機構
１４・・・リング固定部
１００・・・インキ濾過器
ａ・・・ネットカバー外径
ｂ・・・リング外径
ｃ・・・リング内径
ｄ・・・接続部下端外径
【図１】
2019051615.tif 000004
【図２】
2019051615.tif 000005
【図３】
2019051615.tif 000006
【図４】
2019051615.tif 000007